(57)【要約】【課題】棚などの荷重支持体を、所要の位置に固定できて支持基部が露出しないで安定状態に支持できる荷重支持装置を提供する。【解決手段】前面に開口する扁平な案内溝を全長にわたり形成される支持部材と、この支持部材２の前記案内溝３に嵌って所要の位置で拡張させることにより係止固定できる機能を備えた拡張固定部材１０と、この拡張固定部材１０に基端部を直交するように取付けて拡張固定させる荷重支持部材２０とを含み、前記支持部材２を建物などの躯体側に固定して、その支持部材２の案内溝３に前記拡張固定部材１０を所要の位置で荷重支持部材２０によって固定させ、その荷重支持部材２０によって支持アーム３０の基部を固定保持して被支持体（棚板）を支持するように構成する。【選択図】図２
2005304981.tif 000002
【特許請求の範囲】
【請求項１】
前面に開口する扁平な案内溝を全長にわたり形成される支持部材と、この支持部材の前記案内溝に嵌って所要の位置で拡張させることにより係止固定できる機能を備えた拡張固定部材と、この拡張固定部材に基端部を直交するように取付けて拡張固定させる荷重支持部材とを含み、前記支持部材を建物などの躯体側に固定して、その支持部材の案内溝に前記拡張固定部材を所要の位置で荷重支持部材によって固定させ、その荷重支持部材によって被支持体を支持するように構成することを特徴とする荷重支持装置。
【請求項２】
前記支持部材は、扁平な案内溝の開口部に沿って両内側に開口部を狭める突縁部が形成され、案内溝内に装入される前記拡張固定部材が外向きに食み出すのを阻止する構成である請求項１に記載の荷重支持装置。
【請求項３】
前記支持部材の幅方向の両側には全長にわたり所要幅の取付座が一体に形成される構成である請求項１または２に記載の荷重支持装置。
【請求項４】
前記支持部材の突縁部には、それぞれ開口方向の端面に細い溝または外側を凹ませて長手方向にカバー部材取付け部を形成されている請求項２に記載の荷重支持装置。
【請求項５】
前記拡張固定部材は、受部片と押え部片とからなり、これらを組合わせた状態で直交する方向に中央部を貫通して締結固定させる荷重支持部材取付孔を備え、前記受部片と押え部片とは厚さ方向に互いに形成される段部を重ね合わせて、拡縮方向に受部片の側端部と押え部片の段形成部内側部とに両部片が平面方向の押え作用力を受けると幅方向に拡張できる傾斜面が形成され、前記荷重支持部材取付孔に挿入される荷重支持部材の基部を回動させることで受部片と押え部片とに押え作用力が働いて、前記支持部材の案内溝内で幅方向に拡張して係止力が得られるように構成されていることを特徴とする請求項１に記載の荷重支持装置。
【請求項６】
前記受部片と押え部片との拡縮方向の外側面には、前記支持部材における案内溝に形成される突縁部と係合して抜け出しを防止する凹み部がそれぞれ形成されている請求項５に記載の荷重支持装置。
【請求項７】
前記拡張固定部材における受部片には、鍵穴状の前記荷重支持部材取付孔がその細径部が長軸方向に直交するようにして設けられ、かつ裏面に係止ピンの移動カム面が前記細径部位置からほぼ９０度の範囲で扇形状に刻設されている請求項５または６に記載の荷重支持装置。
【請求項８】
前記荷重支持部材は、基端部を前記拡張固定部材に締結固定する軸部を備える基幹部材と、この基幹部材に着脱可能に連結して荷重を支える支持アームとで構成され、回転操作することにより前記拡張固定部材を前記支持部材の案内溝部に固定あるいは固定解除できるようにされている構成である請求項１に記載の荷重支持装置。
【請求項９】
前記支持部材には、案内溝の底面に、所要の間隔で複数の荷重支持部材の軸端を嵌合受支する受孔が設けられている請求項１〜８のいずれかに記載の荷重支持装置。
【請求項１０】
前記支持アームは、所要の間隔で配置される少なくとも二本の支持部材に設けられる前記拡張固定部材によって基端を固定される前記基幹部材にて、基端を連結保持されて平行に配置され、その上側に棚部材を載置して棚が支持形成される構成である請求項８に記載の荷重支持装置。
【発明の詳細な説明】
【技術分野】
【０００１】
本発明は、主として壁体などに沿って設けられる棚や吊り掛け物体を支持するのに用いられる荷重支持装置に関するものである。
【背景技術】
【０００２】
従来、建物の屋内で壁面に棚を設けたり、厨房用具などを吊り掛けるには、棚を設置する場合、その棚支持アームもしくはブラケットを少なくとも二つ、所要の間隔を置いて主に柱など構造物の頑丈な部材に基部を取り付けて前方へ並行して突き出すようにされ、それら支持アームもしくはブラケット上に棚板を載せて支持されるようにされている。
【０００３】
ところで、前記棚支持アーム（またはブラケット）は建物の壁面、好ましくは柱の位置に基部を釘もしくは木ねじなどによって固定され、固定されたその棚支持アーム（またはブラケット）の支持面に棚板を受支させて棚が形成されることになり、構造的にがたつきのない支持構造が求められている。また、店舗などで商品を展示する陳列棚などは、店舗装飾の観点から装飾性も必要となり、その支持具について取付部が露出するものでは好ましくない。そこで、取付部を簡素化して壁面に装着できるように、壁構造部に孔をあけて、その孔に基部を挿入して固定できるようにされた陳列用アタッチメント（支持具）が、例えば特許文献１によって知られている。
【０００４】
前記特許文献１によって知られるものは、陳列用アタッチメントとして、二重構造の支持部材に設けられた支持孔に、外部で操作できるラッチ爪を内蔵させたアタッチメントの一端部に設けた当接面が支持部材の表面に当接するまで延長軸部を挿入すると、前記ラッチ爪と当接面とによって支持部材を挟み付けるとともに、その延長軸の先端と支持部材に設けられた延長軸先端を受入れる孔とでアタッチメントを支持する。そして取り外すときにはラッチ爪を外部から操作できるようにして、そのラッチ爪による係止を解いて簡単に抜き出せるようにされたものが記載されている。
【０００５】
【特許文献１】特開２００３−２５９９４８号公報
【発明の開示】
【発明が解決しようとする課題】
【０００６】
しかしながら、前記先行技術にあって、例えば特許文献１によって知られるものでは、壁構造部に対するアタッチメントの着脱操作が簡単にできるので便利であるが、その支持部材、すなわち壁体として二重構造の壁体が必要で、その外面から内部の支持部材に対する装着部（延長軸）の長さが特定されるので、この物品の寸法に合った支持壁に対してでないと使用できないという問題点がある。さらに、その二重構造の壁体に前と後（奥部）とに軸心を合致させて現場作業で挿入支持孔を設ける必要があるため、その軸心を合致させた挿入孔の形成が困難である。そのために、どうしても手前側の挿入孔の口径が所定寸法より大きくしないと、アタッチメントの挿入支持ができず、理想的には簡単で有効な支持具とされるも、現実には装着後取付部でガタが生じて安定せず不具合であるという問題点がある。
【０００７】
また、一般に、商品を販売する店舗などでは、定期的にあるいは不定期で店舗内に展示販売している商品を載せる商品棚や吊下げ具などを店舗のデザインに合わせて配置換えすることがしばしば行われている。そのために、壁面に取付けられる棚などの支持部材は、状態に応じて位置換えする必要が生じる。このようなことから位置移動が容易な棚とその支持部材が要望され、棚の移動に伴う壁面の装飾性の維持が求められるが、前述のような支持具ではその支持孔の形成と管理に問題があり好ましくない。
【０００８】
本発明はこのような問題点を解決するためになされたもので、建物の壁面構造に対して厚さ寸法を極薄くしてガイド溝を備えた構造で壁体側に埋設できるレール状の支持部材に、棚などの荷重支持体を、所要の位置に固定できて支持基部が露出しないで安定状態に支持できる荷重支持装置を提供することを目的とする。
【課題を解決するための手段】
【０００９】
このような目的を達成するために、本発明による荷重支持装置は、
前面に開口する扁平な案内溝を全長にわたり形成される支持部材と、この支持部材の前記案内溝に嵌って所要の位置で拡張させることにより係止固定できる機能を備えた拡張固定部材と、この拡張固定部材に基端部を直交するように取付けて拡張固定させる荷重支持部材とを含み、前記支持部材を建物などの躯体側に固定して、その支持部材の案内溝に前記拡張固定部材を所要の位置で荷重支持部材によって固定させ、その荷重支持部材によって被支持体を支持するように構成することを特徴とするものである（第１発明）。
【００１０】
前記発明において、前記支持部材は、扁平な案内溝の開口部に沿って両内側に開口部を狭める突縁部が形成され、案内溝内に装入される前記拡張固定部材が外向きに食み出すのを阻止する構成であるのがよい（第２発明）。
【００１１】
また、前記第１発明または２発明において、前記支持部材の幅方向の両側には全長にわたり所要幅の取付座が一体に形成される構成であるのがよい（第３発明）。また、前記第２発明において、前記支持部材の突縁部には、それぞれ開口方向の端面に細い溝または外側を凹ませて長手方向にカバー部材取付け部を形成されているのがよい（第４発明）。
【００１２】
前記第１発明において、前記拡張固定部材は、受部片と押え部片とからなり、これらを組合わせた状態で直交する方向に中央部を貫通して締結固定させる荷重支持部材取付孔を備え、前記受部片と押え部片とは厚さ方向に互いに形成される段部を重ね合わせて、受部片の側端部と押え部片の段形成部内側部とに両部片が平面側からの押え作用力を受けると幅方向に拡張できる傾斜面が形成され、前記荷重支持部材取付孔に挿入される荷重支持部材の基部を回動させることで受部片と押え部片とに押え作用力が働いて、前記支持部材の案内溝内で幅方向に拡張して係止力が得られるように構成されていることを特徴とする（第５発明）。
【００１３】
また、前記第５発明において、前記受部片と押え部片との拡縮する方向の外側面には、前記支持部材における案内溝に形成される突縁部と係合して抜け出しを防止する凹み部がそれぞれ形成されているいるのがよい（第６発明）。
【００１４】
前記拡張固定部材における受部片には、鍵穴状の前記荷重支持部材取付孔がその細径部を長軸方向に直交するようにして設けられ、かつ裏面に係止ピンの移動カム面が前記細径部位置からほぼ９０度の範囲で扇形状に刻設されているのがよい（第７発明）。
【００１５】
前記荷重支持部材は、基端部を前記拡張固定部材に締結固定する軸部を備える基幹部材と、この基幹部材に着脱可能に連結して荷重を支える支持アームとで構成され、回転操作することにより前記拡張固定部材を前記支持部材の案内溝部に固定あるいは固定解除できるように構成されているのがよい（第８発明）。
【００１６】
前記支持部材には、案内溝の底面に、所要の間隔で複数の荷重支持部材の軸端を嵌合受支する受孔が設けられているのがよい（第９発明）。
【００１７】
前記支持アームは、所要の間隔で配置される少なくとも二本の支持部材に設けられる前記拡張固定部材によって基端を固定される前記基幹部材にて、基端を連結保持されて平行に配置され、その上側に棚部材を載置して棚が支持形成される構成であるのがよい（第１０発明）。
【発明の効果】
【００１８】
第１発明にては、前面を開口する扁平な案内溝を備えた長い支持部材を建物の壁面などに嵌め込むようにして起立状態で取り付け、この支持部材の案内溝内に拡張機能を備える拡張固定部材を挿入し、荷重支持装置を定置させようとする位置に配して、その拡張固定部材に係合させる荷重支持部材の基部を取付けることで、拡張固定部材を支持部材の案内溝内で幅方向に拡張させて案内溝とその拡張固定部材との接触摩擦力を高めて固定し、荷重支持部材によって被支持体（棚板あるいは什器などの吊下げ支持物）を支持する。本発明によれば、案内溝を備える極薄い支持部材を使用して、この支持部材が壁面構成のボードなどの壁形成部材の厚さ寸法に揃うようにして、その案内溝内に拡張固定部材を挿入し、荷重支持部材をその拡張固定部材を介して支持部材に固定保持できるようにされるので、壁面から荷重支持部材の支持部が飛び出すことなく体裁よく取り付けることができ、しかもその拡張固定部材において荷重支持部材を正しく保持させることができるから、取付け後にぐらついたりせず安定支持できるという効果が得られる。
【００１９】
前記第２発明によれば、支持部材の案内溝内に挿入して固定する拡張固定部材は、案内溝の前側への開口部をその両側に形成される突縁部によって前方への移動が阻止されるので、荷重支持部材を取付けてそれに負荷が作用しても、前側に抜け落ちることなく確実に保持できるのである。
【００２０】
また、第３発明の構成を採用することにより、支持部材を壁体形成のボードに対して固定するのに使用する取付座を一体に設けておくことで作業性を良くするとともに、強度を高めることができる。また、第４発明の構成を採用すれば、支持部材の前面が案内溝を形成することにより開口されているので、これを覆うカバーを前記突縁部に設けた細い溝または外側の凹みを利用して取り付けることで体裁よく開口部を閉じることができ、ボードの表面とともに壁紙などを張る際に支障を来たすことがない。
【００２１】
さらに、第５発明によれば、支持部材の案内溝内で拡張固定部材を、装着する荷重支持部材によって重ね合わせ方向に加える推力で、受部片と押え部片との係合傾斜面によって拡張方向に作用させて案内溝内での固定力を確保できるので、簡単に固定操作ができる。また、その推力を除くことにより係止力が解除でき、その操作は荷重支持部材を回動操作するだけで簡単に行うことができるという利点がある。
【００２２】
第６発明の構成を採用することにより、支持部材に形成される案内溝に拡張固定部材を挿入して荷重支持部材を支持させる際、大きく荷重が作用しても外向きに抜け出すのを確実に防止できる。また、案内溝内をスライドさせるときにも抜け落ちるのを防止できる。
【００２３】
また、第７発明および第８発明によれば、拡張固定部材を拡張固定する操作が荷重支持部材の回動によって背後から締め付けて確実に行えるようにするとともに、その荷重支持部材の基部軸が抜け出すのを防止する。また、固定操作と逆に操作することで固定を解除させることができる。したがって、支持部材の案内溝に沿って支持位置を変える場合、固定力を解除させれば、そのままスライドさせて位置を変更することができるという利点がある。
【００２４】
さらに、第８発明および第１０発明によれば、荷重支持部材が拡張固定部材に取り付く軸部を備える基幹部材とその基幹部材に着脱可能に連結される支持アームとからなるので、その支持アームを交換することにより棚板の支持以外に、例えば支持アームを傾斜して取付く構造のものとすれば、多数の衣料（例えば服）などを位置をずらして吊り掛けて展示するような陳列支持具とすることができる。なお、棚支持部材として用いる場合は、等条件で少なくとも二本支持部材を配列して棚板を支持するようにするのがよい。
【００２５】
また、第９発明によれば、支持部材の案内溝底面に荷重支持部材の軸端部が嵌合する受孔を設けておくことにより、当該位置で荷重支持部材の軸端をその受孔に嵌合させることにより、支持部材を縦使いする場合に拡張固定部材による固定を解いた状態でずり落ちるのを予防できるという効果が得られる。
【発明を実施するための最良の形態】
【００２６】
次に、本発明による荷重支持装置の具体的な実施の形態について、図面を参照しつつ説明する。
【００２７】
図１は本発明の荷重支持装置により棚を支持する態様の一部切欠き斜視図である。図２は本実施形態の荷重支持装置の要部横断平面図（ａ）と側面図（ｂ）である。図３は支持要部の平面図（ａ）とそのＡ-Ａ視図（ｂ）、Ｂ−Ｂ視図（ｃ）およびＣ−Ｃ視図（ｄ）である。図４は拡張固定部材を分解して表わす図である。
【００２８】
この実施形態の荷重支持装置１は、建物の壁面に装着する棚支持装置であって、壁面Ａを構成するボードの一部に切り込んで取付けられる案内溝３を備えた長尺の支持部材２と、この支持部材２の案内溝３に嵌合して所要位置で固定できるようにされる拡張固定部材１０と、この拡張固定部材１０に基部を装着して固定する機能を発揮する荷重支持部材２０およびこの荷重支持部材２０に接続して棚板を直接受支する支持体とで構成されている。
【００２９】
前記支持部材２は、断面が扁平なハット形に形成された長尺の部材で、例えばアルミニウムの押出し成形により得られるもので、その中央部に案内溝３が形成されて、両外側に張出す部分が取付座４となっている。また、前記案内溝３の開口部３ａ寄りの内側には相対向して突縁部５がそれぞれ形成されており、それらの突縁部５に案内溝３の開口方向にそれぞれ細い溝６が形成されている。この支持部材２は、両外側の取付座４に設けた取付孔（図示せず）で釘・小ネジなどによって壁面Ａなど構築物支持面に固定できるようになっている。
【００３０】
前記拡張固定部材１０は、図３および図４に示されるように、受部片１１と押え部片１２と両者を前面側から囲って保持するカバー部片１６とで構成されている。受部片１１は、中央に鍵孔状の軸挿入孔１４（本発明の荷重支持部材取付孔に相当）が設けられて、幅が前記案内溝３よりも狭い幅寸法で、やや肉厚にされて幅方向に一側端を受け勾配１１ｃに形成され、その反対側端部には案内溝３内に挿入して一方の突縁部５と係合する段付き１１ａの形状とされている。また、その受部片１１上面は、段部１１ｂを付して押え部片１２と重ね合わすと前記案内溝３内で摺動できる厚さ寸法となるようにされている。さらに、受部片１１の裏面には、前記鍵孔状の軸挿入孔１４における細径部１４ａに隣接して扇形状のカム面１３が刻設され、そのカム面１３は孔位置から回転方向に次第に高くなるように形成されている。
【００３１】
一方、押え部片１２は、前記受部片１１とほぼ同幅寸法で、その受部片１１の上面に重ね合える薄肉の部分と受部片１１の受勾配にされた側端部に係合して幅方向に拡張動作できるようにされる勾配面１２ａを内側に形成たれた段付き形状にされ、受部片１１と重ね合わせた状態で前記鍵孔状の軸挿入孔１４と孔位置がほぼ合致する軸の挿入孔１４’が形成され、かつその軸の挿入孔１４’からやや離れて前後位置を切欠いた形状１２ｃにされている。なお、前記受部片１１の軸挿入孔１４を挟んで図上左右に小ネジ孔１１ｄが設けられており、カバー部片１６と組合わせたときに押え部片１２を挟んで小ネジ１７により離脱しないように組み付けられる構成となっている。
【００３２】
前記カバー部片１６は、前記支持部材２の開口部３ａ両側に形成されている細い溝６（カバー部片装着溝）に両端突縁１６ａがそれぞれ係合できるようにされた平板で、ほぼ中央部に前記鍵孔状の軸挿入孔１４と同形の軸挿入孔１６ｂが形成されている。なお、このカバー部片１６の長さ寸法は、前記受部片１１・押え部片１２と同程度になっている。
【００３３】
前記荷重支持部材２０は、先端部に二股フォーク状の支持アーム取付部２１を備える軸体で、その基軸部２２から基端軸部２２ａを段付きで小径となるようにされ、その基端軸部２２ａを前記拡張固定部材１０の軸挿入孔１４に挿入して固定するようにされており、基端部分に軸線に直交してロックピン２３が植設されている。また、基軸部２２にも軸線に直交して係止ピン２４が植設されている。
【００３４】
このように形成される荷重支持部材２０の基軸部２２には、保持部材２５が被嵌して拡張固定部材１０に対する保持力が高められるようにされている。この保持部材２５は、鍔付きの環状に形成されて、その中央の軸挿入孔２５ａを前側（鍔部２５ｃと反対の側）から所要寸法（端面から全体のほぼ半分）を太い径にした段付き孔２５ｂとされ、後側に係止ピン２４が挿入される切込み溝２６を形成されている。そして、前記鍔部２５ｃは前記カバー部片１６の幅寸法程度の直径に形成されており、保持部材２５後端部には、そのカバー部片１６における鍵状孔の細径部１４ａにはまり込む突起２５ｄが形成されている。前記突起２５ｄは、カバー部片１６の鍵状孔の細径部１４ａに嵌り込むことによって回り止めの役目を果たす。なお、図中符号２７はコイルスプリングで、荷重支持部材２０の基軸部２２と保持部材２５の段付き孔２５ｂとの間に介挿されて荷重支持部材２０の抜け止め機能を発揮できるようにされている。
【００３５】
荷重支持部材２０の支持アーム取付部２１は、荷重となる被支持体として、例えば棚支持部材の場合、その基端を溝部２１ａに嵌め合わせて連結ピン２８により支持アーム３０を結合できるようにされている。そのために、支持アーム３０（主に棒状のもの。ただし、これに限定されない）の基端は、前記支持アーム取付部２１の溝２１ａ内端（溝底）と当接して係止されるようにするのがよい。また、例えば傾斜する支持アームを装着する場合は、その基端が前記支持アーム取付部２１の溝２１ａ底と当接して所要の傾斜角で固定されるように形成したものを用いるのがよい。
【００３６】
このように構成される本実施形態の荷重支持装置１にあっては、例えば陳列棚を設置する場合、構築物の壁体に対して装飾壁面を構築するボードの取付時、支持部材２の本体部分が内側に嵌り込むような間隔を置いてボードを取り付け、その間隔を置いて形成された空間部に支持部材２を嵌め込んで両側の取付座４，４を釘や小ネジによってボードに固着し配置する。したがって、この支持部材２はボードの厚みよりやや厚い寸法であるのが好ましい。また、その取付位置はボードの取付作業時に設定できるので、棚支持に適合した間隔で複数列設ける。なお、前記ボードの取付座４，４が当接する部分は、図２によって示されるように、その取付座４の肉厚相当分切り込んで、取付後には支持部材２の取付座４表面がボードの他の表面と一致するようにされるのがよい。
【００３７】
配設された支持部材２に対する拡張固定部材１０の組み込みは、まず、受部片１１と押え部片１２とを，図３（ａ）で示すように、受部片１１の端部の勾配面１１ｃと押え部片１２の内側段付き部における勾配面１２ａとを係合するように重ね合わせる。この状態で押え部片１２の外側にカバー部片１６を重ね、カバー部片１６側から小ネジ１７（皿頭小ネジが好ましい）を受部片１１の小ネジ孔１１ｄに合致させて三枚重ねで仮固定する。こうすることにより受部片１１と押え部片１２とは分離しない状態に保たれるので、前記支持部材２の案内溝３に対して端部から挿入して、その案内溝３内で移動可能な状態とする。
【００３８】
組合された拡張固定部材１０は、棚設置対応位置に移動させてカバー部片１６表面から三枚重ねで仮結合している小ネジ１７をゆるく締め込むことにより、カバー部片１６が支持部材２に固定される。この固定操作に際して、拡張固定部材１０の軸挿入孔１４が支持部材２に設けられている受孔とほぼ合致する位置に合わせる。この位置合わせには、例えば孔に挿入できる直径の棒材を用いると良い。
【００３９】
一方、荷重支持部材２０は、その基軸部２２に保持部材２５を外嵌めして組合わせた状態で基端軸部２２ａを、付設されるロックピン２３が拡張固定部材１０の鍵孔状の軸挿入孔１４の細径孔部１４ａに通じるようにして挿入する。
【００４０】
基端軸部２２ａを所定の位置まで挿入すると、ロックピン２３が拡張固定部材１０の受部片１１裏面側に設けられているカム面１３に対応する位置となる。さらに、荷重支持部材２０をその状態で基軸部２２に外嵌めしているコイルスプリング２７の復元力に抗して押し込むと、ロックピン２３がカム面１３上に当接するようになるので、そのまま荷重支持部材２０を回転させると、前記ロックピン２３がカム面１３により基軸部２２を支持部材２の内部方向に引き付けるように作用する。基軸部をほぼ９０°回転させる間に、ロックピン２３を介して受部片１１が押え部片１２との間で密接状態に変位することにより、その受部片１１の側端勾配面１１ｃと押え部片１２の内側段部の勾配面１２ａとの接触によって軸方向の挟持力が幅方向の拡張力に変換され、受部片１１と押え部片１２との両外側面が案内溝３の内側面に強く押付けられて接触摩擦力が高められるのである。また、同時に拡張固定部材１０の両外側の表側段部１１ｂ，１２ｂが支持部材２の案内溝３開口部両側の突縁部５，５と係合する。
【００４１】
その結果、拡張固定部材１０が支持部材２の案内溝３内で固定され、この固定された拡張固定部材１０に基軸部２２が支持されると同時に、その軸端が支持部材２の孔に嵌合挿入されので、最早移動することなく固定される。したがって、この荷重支持部材２０の先端の支持アーム取付部２１に対して被支持体を支持する支持アーム３０の基端を連結ピン２８で連結すれば、壁面から前に支持アーム３０が水平に突き出された状態で維持される。このようにして所要間隔で配された複数の支持アーム３０上に棚部材３５を載せて支持させればよい。また、例えば衣服などの陳列吊掛けを行う傾斜支持アームの場合は、その支持アームの基端を前記支持アーム取付部２１に接続すれば直ちに使用可能な状態とすることができる。なお、荷重支持部材２０にはその基軸部２２に植設された係止ピン２４によって保持部材２５の内側段孔部２５ｂに嵌るコイルスプリング２７の蓄勢力で軸方向の引抜き方向への推力が作用して拡張固定部材１０の受部片１１と押え部片１２との係合力が高められて、支持部材２への固定力が維持される。
【００４２】
こうして壁面Ａに対して支持部材２と拡張固定部材１０とを介して支持される支持アーム３０は、その拡張固定部材１０に取り付く荷重支持部材２０の基軸部２２が保持部材２５によってカバー部片１６の前面にて補助的に支持されるので、大きな負荷が作用しても無理なく保持することができる。なお、支持部材２の案内溝３の開口部については、前記カバー部片１６と同様断面の無孔で長尺のものを空白部の前に嵌め込むことで、全体として体裁よく仕上げることができる。したがって、装飾的な壁面が得られて効果的である。
【００４３】
このようにして設けられた荷重支持装置１における荷重支持部材２０を取り外す際は、支持アーム３０を取り外して後に、保持部材２５を内装されているコイルスプリング２７の作用力に抗して手前に引き、突起２５ｄを軸挿入孔１４の細径部１４ａから引き離して回り止めを解除し、その後に荷重支持部材２０を組立時と逆の操作で、すなわち、逆回転させてロックピン２３が鍵孔状の軸挿入孔１４の細径部１４ａに合致するようにして、そのまま前方に引き戻すと、軸挿入孔１４から取り外すことができる。この荷重支持部材２０の逆回転操作によってロックピン２３とカム面１３との接触力が急速に除かれて拡張固定部材１０の受部片１１と押え部片１２との接合が緩められることにより、支持部材２の案内溝３内側面に対する拡張固定部材１０の接触力が消去することになり、固定が解かれる。
【００４４】
次に、荷重支持装置の他の実施形態が図５によって示されている。この実施形態のものは、前記実施形態とその基本構成において同じものであるから、前記実施形態と異なる部分を除いて同一もしくは同様の部分について同一の符号を付して、その説明を省略する。
【００４５】
この実施形態の支持部材２Ａは、取付座４ａ，４ａとなる鍔部が後面側の両側に形成され、案内溝３の開口部を一部内側へ絞縮させた形状にされている。したがって、開口部の両外側に段部５ａ，５ａが形成され、ここにカバー部片１６の両側突縁部１６ａが係合して開口部を覆うようにされている。また、拡張固定部材１０は、前述のものとほぼ同様のものが組み込まれる。
【００４６】
使用に際しては、前記支持部材２Ａを壁面構成時取付座４ａ，４ａがボードの裏面側に位置するようにして、その取付座４ａ，４ａをボードに対して小ネジなどで固定するので、壁表面を仕上げる際に取付座４ａ，４ａが存在せず、体裁よく仕上げることができる。なお、機能的には前記実施形態のものと同様である。
【００４７】
以上の説明においては、支持部材を縦方向に配置して使用するものについて記載したが、その支持部材を棚あるいは吊りかけ支持具の配置に相応した高さ位置で横向きに配置して使用することも可能である。このような方式の場合は、拡張固定部材の向きが前述とは９０°変位した状態で支持部材の案内溝内に収まることになる。このような使用形式にあっては、拡張固定部材に固定力を加えない場合でも、落ちることがないので、案内溝に沿って任意の位置に移動させて固定することができる。したがって、荷重支持位置が変更される頻度が高い場合は、好都合である。また、この形式によれば、無負荷時に落下する恐れがないので、支持部材の案内溝底面に軸受け孔を設けることなく使用できる。
【００４８】
なお、前述の支持部材２を縦型配置する場合、図示省略するが、その長さ方向に複数箇所で拡張固定部材１０を前記の要領で使用して、荷重支持部材を取付けるようにして被支持体を取り付け支持することが任意に行える。
【００４９】
また、図示省略するが、前述の支持部材をそのまま横向きにして壁体に取り付け、その横向きの支持部材内案内溝に、拡張固定部材を挿入して、前記要領で荷重支持部材を前記拡張固定部材に装着するようにすれば、前記同様に複数の荷重支持部材と拡張固定部材とを所要の間隔で配置することにより棚支持を行える。この方式によるならば、支持部材内に組込まれた拡張固定部材が横方向にスライドさせることが容易であるので、所望位置に移動させて簡単に棚構成ができるのである。
【００５０】
さらに、図６に示されるのは、荷重支持装置の他の実施形態を表わす平面視図である。この実施形態の荷重支持装置は、基本的の前述の実施形態のものと同様であるが、支持部材の一部を異にするものである。したがって、前述の実施形態のものと同一の部分については同一の符号を付して詳細な説明を省略する。
【００５１】
この実施形態では、支持部材２Ｂが取付座部を有しないものであり、その他の構成である拡張固定部材１０や荷重支持部材２０については前述のものと同様である。したがって、この実施形態の荷重支持装置では、支持部材を壁体の内部に埋め込んで保持するような方式を採用する。機能については前述のものとほぼ同様に機能する。
【００５２】
また、この実施形態の荷重支持装置にあっては、支持部材２Ｂを床面などに敷設して、荷重支持部材２０を直立状態にして、支持アーム３０を直立した支柱として下端を荷重支持部材２０に支持させることにより、その支柱（支持アーム）に図示省略するが別途支持アームを周囲に向けて取付けるようにすれば直立した展示物品の支持体として使用することができる。
【図面の簡単な説明】
【００５３】
【図１】本発明の荷重支持装置により棚を支持する態様の一部切欠き斜視図
【図２】本実施形態の荷重支持装置の要部横断平面図（ａ）と側面図（ｂ）
【図３】支持要部の平面図（ａ）とそのＡ-Ａ視図（ｂ）、Ｂ−Ｂ視図（ｃ）およびＣ−Ｃ視図（ｄ）
【図４】拡張固定部材を分解して表わす図
【図５】他の実施形態を表わす平面視図
【図６】他の実施形態を表わす平面視図
【符号の説明】
【００５４】
１        荷重支持装置
２，２Ａ  支持部材
３        案内溝
４，４Ａ  取付座
５        突縁部
５ａ      段部
１０      拡張固定部材
１１      受部片
１２      押え部片
１３      カム面
１６      カバー部片
２０      荷重支持部材
２１      支持アーム取付部
２２      基軸部
２３      ロックピン
２５      保持部材
３０      支持アーム
３５      棚部材
【図１】
2005304981.tif 000003
【図２】
2005304981.tif 000004
【図３】
2005304981.tif 000005
【図４】
2005304981.tif 000006
【図５】
2005304981.tif 000007
【図６】
2005304981.tif 000008